(57)【要約】【課題】  低コストであり平時において弁体が閉止方向に作用される自己シール構造を備えた管および継手を提供する。【解決手段】  弾性材料より形成され、中心部が凸状に盛り上がっており、該凸状部分６の頂にスリット７が設けられている弁体２が、管または継手の末端付近に設置されており、弁体２の凸状部分６の内部は空洞８となっており、該空洞８に管または継手に接続される機器の接続端に設けた棒または管状部材を差し込むことでスリット７が開く構成である。【選択図】    図１
2006029404.tif 000002
【特許請求の範囲】
【請求項１】
弾性材料より形成され、中心部が凸状に盛り上がっており、該凸状部分の頂にスリットが設けられている弁体が、管または継手の末端付近に設置されていることを特徴とする止水機構付管および継手。
【請求項２】
前記弁体の凸状部分の内部は空洞となっており、該空洞に棒または管状部材を差し込むことでスリットが開くことを特徴とする請求項１記載の止水機構付管および継手。
【請求項３】
前記弁体の凸状部分の根元にはフランジが形成されており、該フランジを管内または継手内の段部に係止され抜止め部材により固定されていることを特徴とする請求項１記載の止水機構付管および継手。
【請求項４】
前記止水機能付管および継手の末端内部に、他の装置や管と接続するための接続機構が設けられ、該接続機構に隣接して前記弁体が設置されていることを特徴とする請求項１記載の止水機構付管および継手。
【発明の詳細な説明】
【技術分野】
【０００１】
本発明は、管および継手に接続されるセンサーや装置を交換する際に管内の流体が外部に漏れないように止水機構を設置した管および継手に関するものである。
【背景技術】
【０００２】
内部に流体が充填されている管や継手に接続されたセンサーや装置等を交換する際には、管内の流体を抜いてから交換作業を行なう必要がある。
【０００３】
またはセンサーや装置の交換が生じることを考慮して、管と装置との間に予め止水栓を設けておき、装置の交換の際には止水栓を閉じて交換作業を行なっていた。
【０００４】
しかし、交換作業が頻繁に行なわれる場合には、止水栓の開閉操作が煩わしいものであることから、止水栓の開閉操作を不要とする逆止弁構造を内部に設けたソケットがある（例えば、特許文献１参照。）。
【０００５】
上記のソケットは、継手内部に浮子が設けられており、浮子の周縁部と継手内部に設けられた弁座が接触し、内部流体が外部に漏れない構造となっている。継手端部に設けられた牝ネジに接続される装置の牡ネジを螺入させると浮子が弁座から離れ、継手に接続される装置に継手内の流体が供給される構造となっている。
【０００６】
【特許文献１】実開昭５１−１４９１９９号公報  （第２頁  第３図）
【発明の開示】
【発明が解決しようとする課題】
【０００７】
上記の継手は、内部に弁座を形成するコストや、水平状態に設置したい場合には浮子を弁座に押圧するための付勢手段が必要となる問題があった。
【０００８】
そこで本発明では上記問題に鑑み、低コストであり平時において弁体が閉止方向に作用される自己シール構造を備えた管および継手を提供することを目的としている。
【課題を解決するための手段】
【０００９】
上記の目的を達成するために、請求項１記載の発明は、弾性材料より形成され、中心部が凸状に盛り上がっており、該凸状部分の頂にスリットが設けられている弁体が、管または継手の末端付近に設置されている止水機構付管および継手である。
【００１０】
請求項２記載の発明は、前記弁体の凸状部分の内部は空洞となっており、該空洞に棒または管状部材を差し込むことでスリットが開く請求項１記載の止水機構付管および継手である。
【００１１】
請求項３記載の発明は、前記弁体の凸状部分の根元にはフランジが形成されており、該フランジを管内または継手内の段部に係止され抜止め部材により固定されている請求項１記載の止水機構付管および継手である。
【００１２】
請求項４記載の発明は、前記止水機能付管および継手の末端内部に、他の装置や管と接続するための接続機構が設けられ、該接続機構に隣接して前記弁体が設置されている請求項１記載の止水機構付管および継手である。
【発明の効果】
【００１３】
請求項１記載の発明によれば、弾性材料を用いて弁体中心に形成された凸状部分の頂にスリットが設けられていることで凸状部分の外面から中心に向かって管内の流体圧力が作用することで、スリットのシール性が確保される効果を有する。
【００１４】
請求項２記載の発明によれば、前記弁体の凸状部分内部の空洞に棒または管状の部材を差し込むとこでスリットが開き、管内部から外部への流体の通過が可能となる。管や継手に接続される装置の接続部末端に前述の棒または管状の部材を設けることで、取付状態では弁体のスリットが開き、取外す際にはスリットが閉じられ、止水されるものである。
【００１５】
請求項３および４記載の発明によれば、弁体を管内に固定し、弁体に隣接して接続機構を設けたことで、該接続機構と接続される前述の接続部末端に棒または管状の部材が設置された装置等の取付け・取外しの作業によって弁体が開閉される効果を有する。
【００１６】
また本発明では、止水機構を構成する部品が弁体と、弁体を管内に固定するための抜止め部材の２点のみであるので大幅なコストダウンができる。さらに、本発明の止水機構は構成がシンプルであり既存の管や継手内部に若干の追加工を施すだけで設置可能である。
【発明を実施するための最良の形態】
【００１７】
本発明の止水機構は、管や継手の末端付近に設置されるものであり、弁体が開いた場合でも小流量しが流出されないことから接続される機器は、小流量にて作動可能なセンサーや圧力計を設置することが好ましい。
【実施例】
【００１８】
以下、この発明の実施例を図１から図５を参照して説明する。図１は本発明の止水機構付管の断面図である。図２は図１の管内部に設置された弁体の流入側の外観図である。図３は図１の管に接続される圧力計の側面図（一部断面）である。図４は図１の管に図３の圧力計を取付けた状態の断面図である。図５は図３の圧力計の他の実施形態である。
【００１９】
本発明の止水機構付管は、図１に示すように管１、弁体２、抜止めリング３から構成される。
【００２０】
管１は内部に流体が充填されている。末端内周には他の機器や管、継手等と接続するための牝ネジ４が螺刻されている。牝ネジ４に隣接して抜止めリング３および弁体２が係止される溝５が刻設されている。
【００２１】
弁体２は、弾性材料から形成されており、断面Ｖ字状である中心が盛り上がった凸形状をしている。凸部分６の頂にはスリット７が設けられている。スリット７の形状は図２において直線形状をしているが、これに限らずＹ形状やＸ形状のスリットを設けることも可能である。
【００２２】
凸部分６の内側は空洞８となっており、スリット７は空洞８まで切込まれている。凸部分６の根元にはフランジ９が形成されている。フランジ９の外径は、前述の溝５の径より僅かに小径となっていて、溝５内にフランジ９が収容可能となっている。
【００２３】
抜止めリング３は、環状体であり、一部に切欠きが設けられていてもよい。前述のフランジ９を溝５内に固定するためにフランジ９と共に抜止めリング３も溝５内に設置される。
【００２４】
図１の状態において、弁体２の凸部分６の外面は常に管１内部の流体圧力を受けた状態であり、中心に向かって押圧された状態にある。ゆえにスリット７は閉鎖され、管１内部の流体が外部に漏れ出すことはない。
【００２５】
次に、上記に説明した止水構造付管に図３に示す圧力計を取付ける手順について説明する。
【００２６】
図３に示す圧力計１０は、内部に図示しないブルドン管が設置されている。ブルドン管は、管１の牝ネジ４と螺合される牡ネジ１１内の流路と連通している。牡ネジ１１の先端には牡ネジ１１の外径より小径な円筒部１２が設けられている。
【００２７】
上記による圧力計１０の牡ネジ１１を、管１の牝ネジ４に螺入させていくと、円筒部１２が弁体２の空洞８内に差込まれ、弾性材料から形成された弁体２は外側方向に変形してスリット７が開かれる（図４参照）。
【００２８】
スリット７が開かれると、管１内の流体は圧力計１０の内部に流れて、管１内の流体の圧力値が指示される。
【００２９】
続いて圧力計を交換する場合の手順について説明する。
【００３０】
圧力計１０の牡ネジ１１を牝ネジ４から取外す方向に回転させ、圧力計１０を管１より取外す。すると弁体２の空洞８内に差込まれていた円筒部１２が抜かれ、弁体２が元の形状に戻りスリット７が閉止される。弁体２の凸部分６の外面には管１内部の流体圧力が作用して、スリット７を閉止する方向に圧力が作用される。
【００３１】
上記に説明した管の止水構造は、継手や接続される機器側にも同様に設置することが可能である。また図５に示すように、円筒部１２が設けられていない汎用の圧力計２０においても、円筒状のスリーブ２１を介して管１に接続することで上記実施例と同様な効果を得ることができる。
【図面の簡単な説明】
【００３２】
【図１】本発明の止水機構付管の断面図
【図２】図１の管内部に設置された弁体の流入側の外観図
【図３】図１の管に接続される圧力計の側面図（一部断面）
【図４】図１の管に図３の圧力計を取付けた状態の断面図
【図５】図３の圧力計の他の実施形態
【符号の説明】
【００３３】
１  管
２  弁体
３  抜止めリング
４  牝ネジ
５  溝
６  凸部分
７  スリット
８  空洞
９  フランジ
１０  圧力計
１１  牡ネジ
１２  円筒部
【図１】
2006029404.tif 000003
【図２】
2006029404.tif 000004
【図３】
2006029404.tif 000005
【図４】
2006029404.tif 000006
【図５】
2006029404.tif 000007